(57)【要約】【課題】構成を簡略化でき、制動時の力量方向の制御できるディスク装置を提供する。【解決手段】ディスク装置は、ディスク４を回転させる駆動手段を含む装置本体が収納され、ディスクの収納部が形成された筐体本体と、筐体本体に回動自在に軸支され、収納部を塞ぐ蓋部とを有する筐体を備える。筐体は、蓋部開放時にディスク４の回転を停止させる回転停止機構５を備え、回転停止機構５は、筐体本体に回動自在に軸支され、蓋部開放時にディスク４に当接する当接部６３１が形成されたレバー６と、レバー６に設けられ、当接部６３１をディスク４端面方向に付勢する付勢手段７と、蓋部に突設され、蓋部閉塞時にレバー６に当接しレバー６を回動させ、当接部６３１とディスク４との当接を解除させる第１の解除手段１３Ｂとを備える。当接部６３１は、ディスク４の回転接線方向に対して傾斜した当接面６３２を有する。【選択図】  図７
2005322347.tif 000002
【特許請求の範囲】
【請求項１】
ディスクを回転させる駆動手段を含む装置本体が収納され、前記ディスクが装着される収納部が形成された筐体本体と、この筐体本体に回動自在に軸支され、前記収納部のディスク収納用開口を塞ぐ蓋部とを有する筐体を備えたディスク装置であって、
前記筐体には、前記蓋部の開放とともに、前記ディスクの回転を停止させる回転停止機構が設けられ、
この回転停止機構は、
前記筐体本体に回動自在に軸支され、前記蓋部の開放時に、装着される前記ディスクの端面に当接する当接部が形成されたレバーと、
このレバーに設けられ、前記当接部を前記ディスクの端面方向に付勢する付勢手段と、
前記蓋部に突出して形成され、該蓋部の閉塞時に、前記レバーに当接して、該レバーを前記ディスクの端面から離間する方向に回動させて、前記当接部と前記ディスクの端面との当接を解除させる第１の解除手段とを備え、
前記当接部は、前記ディスクの回転接線方向に対して傾斜した方向に伸びる当接面を有することを特徴とするディスク装置。
【請求項２】
請求項１に記載のディスク装置において、
前記レバーは、前記ディスクの回転方向と同じ向きに回動して、該ディスクの端面に前記当接部が当接することを特徴とするディスク装置。
【請求項３】
請求項１または請求項２に記載のディスク装置において、
前記付勢手段は、前記筐体本体に取り付けられたばね部材であることを特徴とするディスク装置。
【請求項４】
請求項１または請求項２に記載のディスク装置において、
前記付勢手段は、磁力によって前記レバーを吸引または反発させる磁性部材であることを特徴とするディスク装置。
【請求項５】
請求項１から請求項４のいずれかに記載のディスク装置において、
前記レバーには、前記第１の解除手段が当接し、該第１の解除手段の進退方向に対して傾斜した傾斜面が形成されていることを特徴とするディスク装置。
【請求項６】
請求項１から請求項５のいずれかに記載のディスク装置において、
前記蓋部には、該蓋部の略全開状態で前記レバーに当接し、該レバーを前記ディスクの端面から離間する方向に回動させる第２の解除手段を備えることを特徴とするディスク装置。
【発明の詳細な説明】
【技術分野】
【０００１】
本発明は、内部にディスクを周方向回転自在に収納する収納部と、この収納部のディスク収納用開口を覆う蓋部とを有する筐体を備えたディスク装置に関する。
【背景技術】
【０００２】
従来から、ＣＤ（compact disk）、ＤＶＤ（digital versatile disk）等の光ディスクに記録された情報を再生する光ディスク装置や、光ディスクに対して情報の記録／再生を行う光ディスク装置が知られている。これらの光ディスク装置は、収納部に設けられたスピンドルモータ等の駆動手段によって、収納部に収納された光ディスクを回転させ、回転する光ディスクの情報記録面に光学ピックアップから光スポットを照射して、その反射光を検出することにより、情報を記録および／または再生するように構成されている。
【０００３】
このような光ディスク装置には、光ディスクを収納部としてのディスクトレー上の凹部に載置し、このディスクトレーをローディングして該光ディスクを筐体内部に収納する構造のローディング型と、収納部を蓋部によって覆い、この蓋部を開閉して光ディスクを筐体内部に収納する蓋部開閉型の光ディスク装置が知られている。このうち、蓋部開閉型の光ディスク装置では、光ディスクの回転中に蓋部が開放された場合に、回転する光ディスクが収納部から飛び出して該光ディスクが損傷したり、使用者によって無理に光ディスクの回転が停止されて、光ディスク装置内部に設けられた回路が損傷するという問題があった。
【０００４】
このような問題に対して、光ディスクの回転中に蓋部が開放された場合に、該光ディスクの回転を制動する光ディスク装置が知られている。このうち、蓋部（蓋）が開放されると、この蓋部に設けられたギアおよび光ディスク装置（ディスク再生装置）に設けられたギアを介してレバーを移動させ、このレバーの移動により、ブレーキアームを光ディスクの外周端面に当接させて該光ディスクの回転を制動するものが知られている（例えば、特許文献１参照）。また、蓋部（上蓋）の開放に連動して、制動レバーが前後にスライドしてブレーキパッドが光ディスク端面に押し当てられることにより、光ディスクの回転を制動するものが知られている（例えば、特許文献２参照）。このような構成の光ディスク装置により、光ディスクの回転中に蓋部を開放しても、該光ディスクの回転が制動されるので、ディスクおよび回路の損傷等を防ぐことができる。
【０００５】
【特許文献１】特開平２−１２６４７１号公報
【特許文献２】特開平１０−７９１６２号公報
【発明の開示】
【発明が解決しようとする課題】
【０００６】
しかしながら、特許文献１に記載の光ディスク装置では、蓋部の開放に係る力を多数のギアを介してブレーキアームに伝導させて光ディスクの回転を制動するので、構成が複雑になるという問題があった。また、特許文献２に記載の光ディスク装置では、構成が簡略化されているものの、光ディスクの端面に、該端面の接線に対して略直角にブレーキパッドがスライドして当接されるので、回転の制動時に、ブレーキパッドに不規則な方向から力が加わることとなる。このため、光ディスクの回転制動時にブレーキパッド等に加わる力量の作用方向が分散されて制御できなくなり、構成部材に予期せぬ負荷がかかるなどして、部材の損傷を招くとともに、制動が不安定になるという問題があった。
【０００７】
本発明の目的は、構成を簡略化でき、制動時の力量の作用方向を制御できるディスク装置を提供することである。
【課題を解決するための手段】
【０００８】
本発明のディスク装置は、ディスクを回転させる駆動手段を含む装置本体が収納され、前記ディスクが装着される収納部が形成された筐体本体と、この筐体本体に回動自在に軸支され、前記収納部のディスク収納用開口を塞ぐ蓋部とを有する筐体を備えたディスク装置であって、前記筐体には、前記蓋部の開放とともに、前記ディスクの回転を停止させる回転停止機構が設けられ、この回転停止機構は、前記筐体本体に回動自在に軸支され、前記蓋部の開放時に、装着される前記ディスクの端面に当接する当接部が形成されたレバーと、このレバーに設けられ、前記当接部を前記ディスクの端面方向に付勢する付勢手段と、前記蓋部に突出して形成され、該蓋部の閉塞時に、前記レバーに当接して、該レバーを前記ディスクの端面から離間する方向に回動させて、前記当接部と前記ディスクの端面との当接を解除させる第１の解除手段とを備え、前記当接部は、前記ディスクの回転接線方向に対して傾斜した方向に伸びる当接面を有することを特徴とする。
【０００９】
ここで、ディスクとしては、ＣＤ、ＣＤ−ＲＯＭ、ＣＤ−Ｒ、ＣＤ−ＲＷおよびＤＶＤ−ＲＯＭ、ＤＶＤ−Ｒ、ＤＶＤ−ＲＷ、ＤＶＤ＋Ｒ、ＤＶＤ＋ＲＷ、ＤＶＤ−ＲＡＭ等の光ディスク、ＭＯディスク（光磁気ディスク）、磁気ディスク等を挙げることができる。
本発明によれば、蓋部の開放時に、付勢手段の付勢力により、レバーが回動して、該レバーの当接部がディスク端面に当接されるので、蓋部の開放とともに、回転するディスクを制動することができる。また、蓋部の閉塞時には、蓋部に形成された第１の解除手段により、レバーが付勢手段の付勢力に抗して回動して、該レバーの当接部がディスク端面から離間するので、ディスクの回転が妨げられるのを防ぐことができる。従って、蓋部の開閉動作に応じたディスクの制動を行うことができる。
また、この回転停止機構は、レバー、付勢手段および蓋部に設けられた第１の解除手段により構成されるので、蓋部の開放に伴うディスクの回転停止機構の構成を簡略化することができる。
【００１０】
ここで、該ディスクの回転を制動する当接部は、レバーの回動によってディスク端面に当接されるので、ディスクの制動時の当接部の移動方向は、レバーの回動方向となる。これによれば、制動時にレバーに作用する力量の方向を、付勢手段による付勢力の作用方向と一致、もしくは、対向する方向とすることができる。従って、レバーにかかる力量を付勢手段による付勢力で制御することができる。
【００１１】
また、本発明によれば、ディスク端面に当接される当接部の当接面は、ディスクの回転接線方向に対して傾斜して形成されているので、装着されるディスクの径にばらつきがあった場合でも、確実にディスク端面に該当接面を当接させて、ディスクの回転を停止させることができる。そして、傾斜して形成された当接面のうちのいずれかの部分がディスク端面に当接されることとなるので、当接面が回転接線方向に平行に形成されている場合に比べ、当接部を小さく形成することができる。従って、レバーを小さく形成することができ、ひいては、回転停止機構の小型化を図ることができる。
さらに、レバーの回転によって、該レバーの当接部をディスク端面に当接させる機構であるので、ディスク端面と当接面との角度調整を容易に行うことができる。
【００１２】
本発明では、前記レバーは、前記ディスクの回転方向と同じ向きに回動して、該ディスクの端面に前記当接部が当接することが好ましい。
本発明によれば、ディスクの回転制動時のレバーの回動方向が、ディスクの回転方向と同じ向きである。これによれば、回転中のディスクにレバーの当接部が当接された場合に、レバーには、回転しているディスクにより、該レバーのディスク制動時の回動方向とは反対方向に回動する作用力（成分）を受けることとなるが、この作用力（成分）をレバーに設けられた付勢手段の付勢力により抑えることができる。すなわち、ディスク制動時にレバーをディスクから離間する方向に回動させる作用力（成分）を、付勢手段の付勢力により制御することができる。従って、ディスク制動時に、確実にディスク端面に当接部を当接させることができるほか、付勢手段による付勢力の強弱により、ディスク端面への当接部の押圧力を調整することができる。
【００１３】
本発明では、前記付勢手段は、前記筐体本体に取り付けられたばね部材であることが好ましい。
ここで、ばね部材としては、圧縮ばね、伸張ばね、板ばね、および、ねじりばねの種々のばねを採用することができる。
本発明によれば、レバーに対して、該レバーを回動させるための付勢力を作用させる付勢手段の構成を簡素化することができ、ひいては、回転停止機構を備えたディスク装置を安価に製造することができる。また、圧縮ばね、伸張ばねまたは板ばねを用いた場合では、このようなディスクの回転制動機構の組み立てを容易に行うことができ、ねじりばねを用いた場合では、ディスク装置の一層の省スペース化を図ることができる。
【００１４】
あるいは、本発明では、前記付勢手段は、磁力によって前記レバーを吸引または反発させる磁性部材であることが好ましい。
本発明によれば、磁性部材によりレバーを回動させる付勢力を発生させるので、蓋部の開放に伴ってレバーが回動し、当接部がディスク端面に当接した場合に、最も大きな付勢力をレバーに付与させることができる。従って、蓋部の開放時に、ディスク端面に当接部を当接させる力を大きくすることができるので、該ディスクの回転を確実に制動することができる。
また、蓋部の閉状態では、レバーに作用する付勢力は最も小さくなる。ここで、このようなディスク装置では、収納部にディスクを装着する場合、および、収納部からディスクを取り出す場合に蓋部は開放されるので、該蓋部は開放されている状態よりも閉塞されている状態の方が頻度は高い。従って、蓋部の閉状態でレバーに係る負荷を小さくすることができるので、レバーの損傷を防ぐことができる。
【００１５】
本発明では、前記レバーには、前記第１の解除手段が当接し、該第１の解除手段の進退方向に対して傾斜した傾斜面が形成されていることが好ましい。
本発明によれば、蓋部に形成された第１の解除手段が、レバーに形成された傾斜面に当接され、この傾斜面に沿って移動することにより、蓋部の開放速度に応じた速度でレバーを回動させ、該レバーの当接部をディスク端面に当接させることができる。すなわち、蓋部が開放されるに伴って、第１の解除手段が傾斜面の傾斜に沿って摺動するので、蓋部の開放状態に合わせて、付勢手段の付勢力によって、レバーは緩やかに回動し、該レバーの当接部がディスク端面に当接することとなる。従って、蓋部の開放状態に応じたディスクの制動を行うことができる。
【００１６】
本発明では、前記蓋部には、該蓋部の略全開状態で前記レバーに当接し、該レバーを前記ディスクの端面から離間する方向に回動させる第２の解除手段を備えることが好ましい。
本発明によれば、第２の解除手段が、蓋部の略全開状態で、ディスク端面と当接状態にあったレバーを回動させて、該レバーの当接部とディスク端面とを離間させるので、ディスクの取出しを容易にすることができる。また、これにより、ディスクの取り出し時に、レバーに対して不要な負荷が加わることを防ぐことができる。
【発明を実施するための最良の形態】
【００１７】
〔１．第１実施形態〕
以下、本発明の第１実施形態を図面に基づいて説明する。
図１には、本発明の第１実施形態に係るディスク装置としてのエンタテインメント装置１の概要斜視図が示されている。また、図２には、図１の状態から蓋部を開放したエンタテインメント装置１の斜視図が示されている。
エンタテインメント装置１は、例えば、光ディスク等に記録されているゲームプログラム等を読み出して、使用者（ゲームプレーヤ）が操作するコントローラ（図示略）からの指示に応じて、該ゲームプログラムを実行するものである。このエンタテインメント装置１は、テレビジョン受像機（図示略）等と電気的に接続され、ゲームプログラムの処理結果から画像情報および音声情報を該テレビジョン受像機に出力する。
この他にも、エンタテインメント装置１は、映像・音声情報が記録されたＣＤ、ＤＶＤを再生すること、および、使用する光ディスクによっては、該光ディスクに情報を記録することができるように構成されている。
なお、ゲームの実行とは、主としてゲームの進行、および画像・音声情報の出力等を制御することをいう。
【００１８】
このエンタテインメント装置１は、図１および図２に示されるように、電子部品等を有する装置本体（図示略）と、この装置本体を収容する電子機器用筐体であるエンタテインメント装置用筐体（以下、筐体という）１０とを備えて構成されている。
筐体１０は、ＡＢＳ樹脂等の合成樹脂により構成され、装置本体を収容するアッパーケース１１およびロアーケース１２を備え、平面視矩形状に形成されている。
アッパーケース１１は、装置本体を上方から覆うものであり、アッパーケース１１の筐体本体であるアッパーケース本体１４と、このアッパーケース本体１４の略中央部分に設けられた平面視略円形状の蓋部１３とを備えて構成されている。
【００１９】
アッパーケース本体１４の略中央には、平面視略円形状で、かつ、断面視略凹状に形成された光ディスク収納部２０が形成されている。
光ディスク収納部２０は、ＣＤおよびＤＶＤ等の光ディスク４が収納できるように上方が開口しており、この開口２０Ａを蓋部１３が覆うように構成されている。
【００２０】
光ディスク収納部２０の略中央には、光ディスク４を保持するチャッキング部材１９が設けられている。このチャッキング部材１９は、装置本体に設けられたスピンドルモータ（図示略）に軸支されており、このスピンドルモータにより、光ディスク４を回転させる構成となっている。
また、光ディスク収納部２０には、チャッキング部材１９に装着された光ディスク４から、該光ディスク４に記録された情報を取得するための光ヘッドを有するピックアップ部（図示略）が露出している。このピックアップ部は、装置本体に設けられ、装置本体の動作制御を行う回路基板（図示略）に電気的に接続され、ピックアップ部によって取得された情報が回路基板に出力され、該回路基板で実行・処理される。
さらに、図２における光ディスク収納部２０の奥側には、アッパーケース本体１４を貫通するように、２つの開口２０Ｂ，２０Ｃが形成されている。
【００２１】
アッパーケース本体１４の上面には、光ディスク収納部２０を挟むように２つの開口が形成され、それぞれの開口からボタン１５，１６が露出している。このうち、図１および図２において光ディスク収納部２０の左側に配置されたボタン１５は、装置の電源をオンまたはオフする際に操作する電源ボタン１５であり、右側に配置されたボタン１６は、該蓋部１３の開閉を行うために蓋部１３に対して進退する図示しない係止部材が内蔵された開閉ボタン１６である。
【００２２】
蓋部１３は、アッパーケース本体１４に対して端部が回動自在に取り付けられており、図２に示されるように、蓋部１３およびアッパーケース本体１４の間には、蓋部１３の回動軸周りに巻回されるコイルばね１７が設けられ、蓋部１３は、このコイルばね１７の付勢力を利用して開閉する構造とされている。
この蓋部１３は、アッパーケース本体１４に形成された光ディスク収納部２０に対応して平面視略円形状に形成されている。この蓋部１３の光ディスク収納部２０に対向する面には、外周部分に前述の係止部材に係合する係合部１３Ａと、面外方向に突出する第１の解除手段としての突起部１３Ｂとが形成されている。
【００２３】
係合部１３Ａは、光ディスク収納部２０に向かって突出する突起部１３Ａ１と、この突起部１３Ａ１より蓋部１３の外周端部側に設けられた突出部１３Ａ２とを備えている。
このうち、突起部１３Ａ１は、蓋部１３の閉状態で、光ディスク収納部２０に形成された図示しない開口に挿入され、該突起部１３Ａ１の先端部分が、該開口の下方に配置された図示しないプッシュスイッチに当接される。このプッシュスイッチは、蓋部１３の開放を検出する検出スイッチとして設けられ、突起部１３Ａ１の先端部分が当接されるとＯＦＦ状態となり、離間するとＯＮ状態となることで、装置本体が蓋部１３の開放を検出する。
また、突出部１３Ａ２は、蓋部１３の外周部分から延出して形成されており、略中央部分に開口が形成されている。この開口は、前述の開閉ボタン１６によって進退する係止部材が係合する部分である。
【００２４】
突起部１３Ｂは、図２における蓋部１３の奥側で、かつ、光ディスク収納部２０に収納される光ディスク４の領域から外れた位置に形成されている。詳述すると、突起部１３Ｂは、蓋部１３の閉状態で、光ディスク収納部２０に形成された開口２０Ｂに対応する位置に形成されている。
【００２５】
このような構成の蓋部１３は、以下のような機構により開放される。
すなわち、蓋部１３の閉状態（図１の状態）において、開閉ボタン１６を押すと、内蔵された係止部材（図示略）と、蓋部１３端部に設けられた突出部１３Ａ２との係合が解除され、コイルばね１７の付勢力により蓋部１３が開放（図２の状態）され、光ディスク収納部２０が露出する。この光ディスク収納部２０の光ディスク収納用の開口２０Ａから、該光ディスク収納部２０の略中央に設けられたチャッキング部材１９に光ディスク４を装着し、蓋部１３を閉塞した後に、電源ボタン１５を押すと、装置本体の電源が入り、光ディスク４の記録内容を再生できるようになる。
【００２６】
また、筐体１０の図１および図２中手前の側面には、４つの開口１８が形成されている。このうち、上段に形成された２つの開口１８には、装置本体の動作制御を行う回路基板（図示略）に実装されるメモリーカード接続部（図示略）が露出し、下段に形成された２つの開口１８には、同様に回路基板に実装されるコントローラ接続部４３Ｂが露出する。
なお、メモリーカード接続部が露出する開口１８は、シャッタ１８Ａにより塞がれており、メモリーカード（図示略）の先端を押し込むと、このシャッタ１８Ａが開き、当該メモリーカードをメモリーカード接続部に接続できるようになっている。
【００２７】
一方、図１および図２では図示を略したが、筐体１０の開口１８が形成される側面とは反対側の面には、外部電源から電源ケーブルを介して装置本体に電力を供給する電源コネクタが露出する開口と、光ディスクに記録されている映像信号、音声信号等の各種信号を、テレビジョン受像機に出力する映像音声出力端子が露出する開口が形成されている。
【００２８】
図３には、回転停止機構５の平面図が示されている。
図３に示すように、アッパーケース本体１４の下面、すなわち、アッパーケース本体１４のロアーケース１２に対向する面には、蓋部１３の開放とともに光ディスク４の回転を停止させる回転停止機構５が設けられている。この回転停止機構５は、レバー６および付勢手段としてのコイルばね７と、蓋部１３に形成された前述の突起部１３Ｂとを備えて構成されている。
なお、コイルばね７の一端は、アッパーケース本体１４の下面から面外方向に鉤状に突出する突起部２０Ｅに係合している。
【００２９】
レバー６は、一端が光ディスク４の端面に当接され、該光ディスク４の回転を停止させるものであり、アッパーケース本体１４の下面から面外方向に突出する断面略円形状の突起部２０Ｄに回動自在に軸支されている。このレバー６は、蓋部１３の閉状態では、突起部１３Ｂが開口２０Ｂを介して該レバー６に当接して、光ディスク４の端面から離間する方向に回動し、蓋部１３の開状態では、コイルばね７の付勢力により、光ディスク４の端面に当接する方向に回動する。
【００３０】
図４には、レバー６の平面図が示されている。
レバー６は、合成樹脂製の一体成形品であり、このレバー６には、図４に示すように、突起部２０Ｄに回動自在に軸支される環状部６１と、この環状部６１の外周端部から放射状に延出する３つの腕部６２，６３，６４とが形成されている。すなわち、詳しくは後に詳述するが、レバー６の一端には、当接部６３１を有する腕部６３が形成され、この腕部６３から回動軸となる環状部６１を介した他端には、付勢手段としてのコイルばね７が係合する腕部６２が形成されている。また、これら腕部６２，６３に挟まれるように環状部６１を介したレバー６の他端には、腕部６４が形成されている。
環状部６１の略中央には、突起部２０Ｄの外径寸法と略一致する内径寸法を有する開口部６１１が形成されている。この開口部６１１には、突起部２０Ｄが挿入される。なお、突起部２０Ｄの先端部分には係止部材（図示略）が設けられており、軸支したレバー６が外れないようになっている。
【００３１】
腕部６２は、平面視略Ｌ字状に形成されており、後述するコイルばね７に対向する面とは反対側に鉤状に曲折した先端部６２１にコイルばね７が係合する。この腕部６２は、コイルばね７の付勢力によって、環状部６１に形成された開口部６１１の中央を軸としてレバー６を回動させる。
【００３２】
腕部６３は、レバー６の回動により、光ディスク４の回転を停止させる部分であり、先端部分には、光ディスク４の端面に当接される幅広な当接部６３１が形成されている。この当接部６３１は、断面略Ｃ字状に形成されており、この略Ｃ字状の内側部分には、光ディスク４の端面との摩擦を大きくするシリコン等のパッド８が取り付けられている（図６参照）。このパッド８の光ディスク４端面に対向する面が、該光ディスク４端面に当接される当接面６３２とされている。
ここで、腕部６３は、腕部６２に対して鈍角、具体的には、およそ１３５°の角度を有するように形成されている。また、腕部６３は、腕部６２よりも延出方向の寸法が大きくなるように形成されている。これにより、レバー６が回動する場合に、該レバー６の回動角が小さくても、腕部６３の当接部６３１の移動量を大きくすることができる。
また、当接部６３１の下面が、光ディスク収納部２０の表面を摺動して回動するため、当接部６３１を大きく形成することにより、光ディスク収納部２０との接触面積を大きくすることができる。これにより、光ディスク収納部２０の表面精度のばらつきを吸収して、レバー６の安定性を増すことができる。
【００３３】
腕部６４は、蓋部１３の閉状態で、蓋部１３に形成された突起部１３Ｂが当接する部分であり、腕部６２，６３の間に形成されている。詳述すると、腕部６４は、腕部６２に対して鋭角、具体的には、およそ６０°の角度を有するように形成されている。この腕部６４には、該腕部６４の延出方向に略直交し、かつ、腕部６３側に延出した延出部６４１が形成されている。
延出部６４１の先端部分は、延出方向先端に向かうにしたがって、延出部６４１の厚さ方向の寸法が小さくなるように傾斜して形成されている。換言すると、延出部６４１の先端部分は、上方から下方に向かうにしたがって、延出部６４１の延出方向の寸法が大きくなる断面略三角形状に傾斜して形成されている（図６参照）。この傾斜面である面６４２には、蓋部１３の閉状態で、該蓋部１３に形成された突起部１３Ｂが、開口２０Ｂを介して当接される。
【００３４】
以下に、回転停止機構５による光ディスク４の停止機構について説明する。
図５には、蓋部１３を開放した場合のレバー６の回動状態が示されている。また、図６には、蓋部１３を開放した状態の該蓋部１３およびレバー６の側面図が示されている。さらに、図７には、蓋部１３を閉塞した場合のレバー６の回動状態が示されている。
レバー６は、蓋部１３の開状態では、図５に示すように、コイルばね７の付勢力により該レバー６の腕部６２が図５中矢印Ａ１方向に引かれるので、環状部６１の開口部６１１の中心、すなわち、突起部２０Ｄの中心を軸として、矢印Ｂ１方向に回動する。この矢印Ｂ１方向へのレバー６の回動により、腕部６３の当接面６３２が、光ディスク収納部２０に収納された光ディスク４の端面に当接される。これにより、光ディスク４の回転に対する摩擦が大きくなり、該光ディスク４の回転が停止される。
【００３５】
ここで、腕部６３に形成された当接面６３２は、光ディスク４の回転接線方向に対して傾斜して当接される。詳述すると、図５中矢印Ｃ方向に回転する光ディスク４に対して、該光ディスク４の端面に対向する当接面６３２は、その回転方向に対向するように、光ディスク４端面に当接される。これにより、回転する光ディスク４の径寸法に多少の誤差がある場合でも、当接面６３２のいずれかの部分を、該光ディスク４端面に当接することができる。従って、径寸法が異なる光ディスク４に対しても、該光ディスク４の回転を確実に停止することができる。
なお、回動したレバー６の腕部６３には、アッパーケース本体１４の下面から面外方向に突出する突起部２０Ｆおよび開口２０Ｃ（図３参照）の端部が当接され、レバー２の回動範囲が規制されている。
【００３６】
蓋部１３を閉塞する場合、すなわち、図６に示すように、開状態の蓋部１３が矢印Ｓ１方向に回動して、該蓋部１３が閉状態となった場合、蓋部１３に形成された突起部１３Ｂが、開口２０Ｂを介して、レバー６の腕部６４に形成された面６４２に当接される。ここで、面６４２は、下方に向かうにしたがって延出部６４１の延出方向の寸法が大きくなるように傾斜して形成されているので、蓋部１３を閉塞するにしたがって、突起部１３Ｂは面６４２に深く当接することとなり、図７に示すように、レバー６は、図７中矢印Ｂ２方向に回動する。このレバー６の回動は、コイルばね７の矢印Ａ１方向の付勢力に抗してされる。これにより、当接部６３１の当接面６３２が光ディスク４の端面から離間するので、光ディスク４に対する制動を解除することができる。
【００３７】
以上のように、光ディスク４は図５中矢印Ｃ方向に回転し、また、レバー６は、光ディスク４の制動時に、突起部２０Ｄを軸として矢印Ｂ１方向に回動して、該光ディスク４の端面に押圧される。このため、光ディスク４の制動時にレバー６には、回転する光ディスク４から、光ディスク４の中心を軸とした周方向外向きの作用力（成分）を受けることとなる。この作用力（成分）の方向は、図５中矢印Ｂ１方向とは反対方向であり、また、蓋部１３の閉状態でレバー６が回動する図７中矢印Ｂ２方向である。このため、回転する光ディスク４の端面に当接されたレバー６は、該光ディスク４からの作用力（成分）によって、光ディスク４端面からレバー６が離間する方向に回動しようとするが、コイルばね７の付勢力により、この作用力（成分）に抗してレバー６は、光ディスク４端面に当接されたままとなる。これによれば、光ディスク４の制動時に、回転する光ディスク４からレバー６に対して作用する作用力（成分）を、矢印Ｂ１方向にレバー６を回動させるコイルばね７の付勢力によって制御することができる。従って、光ディスク４端面に確実にレバー６の当接面６３２を当接させて、該光ディスク４を制動することができ、また、コイルばね７の付勢力の強弱により、光ディスク４端面に当接されるレバー６の押圧力を調整することができる。
【００３８】
ここで、従来のディスク装置には、光ディスク４の回転を制動する制動部材が、光ディスクの中心に向かって直線的に移動して、該光ディスク４の端面に押圧され、該光ディスクの回転を停止させるものが知られているが、このような制動部材は、回転中の光ディスク４からの周方向外向きの力、すなわち、制動部材の移動方向とは異なる向きの力が加わるため、光ディスク４制動時の作用力（成分）および制動部材の姿勢を制御することができず、制動部材のがた付きの原因となる。
従って、レバー６は、光ディスク４の回転方向と同方向にレバー６が回動して該光ディスク４の回転を制動するので、レバー６に加わる作用力（成分）をコイルばね７で制御することができるとともに、レバー６のがた付きを抑えることができる。さらに、このような作用力（成分）は、コイルばね７の付勢力によって制御できるので、回転停止機構５の構成を簡素化することができる。
【００３９】
このような本発明の第１実施形態によれば、次のような効果を奏することができる。
(1-1)蓋部１３の開状態では、コイルばね７の付勢力により、レバー６は、腕部６３に形成された当接部６３１が光ディスク４の端面に近接する方向に回動するので、当接部６３１の当接面６３２を光ディスク４端面に当接させて、該光ディスク４の回転を停止させることができる。また、蓋部１３の閉状態では、蓋部１３に形成された突起部１３Ｂが、開口２０Ｂを介して、レバー２の面６４２に当接することにより、レバー２が図７中矢印Ｂ２方向に回動させるので、パッド８を光ディスク４端面から離間させることができる。これによれば、蓋部１３の開状態では、回転する光ディスク４の回転を停止させることができ、また、蓋部１３の閉状態では、光ディスク４の回転を妨げないようにすることができる。
また、この回転停止機構５は、レバー６を回動させ、光ディスク４端面に該レバー６の当接面６３２を当接させて、該光ディスク４の回転を停止させる機構であるので、回転停止機構５を構成する際に、光ディスク４端面に当接される当接面６３２の角度調整を容易に行うことができる。
【００４０】
(1-2)回転停止機構５は、レバー６、コイルばね７および蓋部１３に形成された突起部１３Ｂを備え、レバー６の腕部６４に傾斜して形成された面６４２に蓋部１３に形成された突起部１３Ｂが当接するように、かつ、レバー６の当接面６３２に光ディスク４端面が当接されるように構成されている。これによれば、蓋部１３の開閉に伴って光ディスク４の回転を停止する回転停止機構５を簡略な構成とすることができる。
【００４１】
(1-3)回転停止機構５は、光ディスク４の回転方向Ｃと、コイルばね７の付勢力によって回動するレバー６の回動方向Ｂ１とが一致するように構成されている。これによれば、光ディスク４の回転を停止させる際に、回転する光ディスク４の作用力（成分）によりレバー６はＢ２方向に回動しようとするが、このレバー６の回動を、レバー６をＢ１方向に回動させるコイルばね７の付勢力により制御することができる。従って、レバー６の光ディスク４端面への押圧力を、コイルばね７の付勢力によって調整することができる。また、光ディスク４からの作用力（成分）は、レバー６を光ディスク４への当接方向とは反対方向へ回動させる力、すなわち、光ディスク４からレバー６が離間する方向へ回動させる力となるので、レバー６が不要にがたつくことがない。これにより、レバー６に不要な負荷がかかることを抑えることができる。
【００４２】
(1-4)レバー６の腕部６３に形成された当接面６３２は、光ディスク４の回転方向に対向するように、該光ディスク４の回転接線方向に対して傾斜して形成されている。これによれば、光ディスク収納部２０に収納される光ディスク４の径方向の寸法に誤差が生じている場合でも、当接面６３２の傾斜により、当接面６３２のいずれかの部分を、光ディスク４の端面に当接させることができる。従って、光ディスク４の径方向に誤差がある場合でも、確実に光ディスク４の回転を停止させることができる。
また、当接面６３２が傾斜して形成されているので、当接部６３１を小さく形成しても、当接面６３２のいずれかの部分を光ディスク４端面に確実に当接することができる。従って、当接部６３１を小さく形成して、レバー６の小型化、ひいては、回転停止機構５の小型化を実現することができる。
【００４３】
(1-5)蓋部１３の閉塞に伴って突起部１３Ｂが当接されるレバー６の腕部６４に形成された面６４２は、蓋部１３の閉方向に向かうにしたがって延出部６４１の延出方向の寸法が大きくなるように傾斜して形成されている。これによれば、蓋部１３を閉塞する際には、突起部１３Ｂの先端部分が面６４２に当接され、蓋部１３が閉塞されるにしたがって、レバー６をコイルばね７の付勢力に抗して、緩やかにＢ２方向に回動させることができる。また、逆に、蓋部１３が開放される場合には、面６４２の傾斜に沿って、レバー６を、緩やかに光ディスク４の端面に近接するように回動させることができる。このため、レバー６が、コイルばね７の付勢力により急激に回動することを防ぐことができる。従って、蓋部１３の開放速度に応じた速度で、レバー６に形成された当接面６３２と、光ディスク４端面とを当接させることができ、蓋部１３の開放状態に応じた光ディスク４の回転制動を行うことができる。
【００４４】
〔２．第２実施形態〕
次に、本発明の第２実施形態に係るエンタテインメント装置について説明する。第２実施形態のエンタテインメント装置は、前述の第１実施形態のエンタテインメント装置と略同じ構成を備えるが、回転停止機構の付勢手段に板ばねが採用されている点で相違する。なお、以下の説明では、既に説明した部分と同一または略同一である部分については、同一の符号を付して説明を省略する。
【００４５】
図８には、第２実施形態に係るエンタテインメント装置１に設けられた回転停止機構５Ａが示されている。
回転停止機構５Ａは、図８に示すように、レバー６Ａと、付勢手段としての板ばね７Ａと、蓋部１３に形成された突起部１３Ｂとを備えて構成されている。
レバー６Ａは、前述のレバー６と同様に、蓋部１３の開状態で、突起部２０Ｄを軸として光ディスク４の端面に近接する方向に回動し、該光ディスク４の回転を停止させるものである。このレバー６Ａは、環状部６１と、この環状部６１から径方向外側に向かって延出した腕部６３，６５とを備えている。すなわち、詳しくは後に詳述するが、レバー６Ａの一端側には、当接部６３１を有する腕部６３が形成され、この腕部６３から回動軸となる環状部６１を介した他端側には、付勢手段としての板ばね７Ａが係合する腕部６５が形成されている。
【００４６】
腕部６５は、腕部６４と同様に、環状部６１の中央を中心として腕部６３に対して鋭角、具体的には、７５°の角度で形成され、腕部６３に対向する側には、蓋部１３の突起部１３Ｂが当接される面６４２を有する延出部６４１が形成されている。また、腕部６５の延出部６４１が形成された側とは反対側の面には、下方向端部、すなわち、蓋部１３が閉塞する方向の先端側の端部から面外方向に延出する押さえ片６５３が形成されている。この押さえ片６５３とアッパーケース本体１４の底面との間に板ばね７Ａの一方の先端部分が配置され、この押さえ片６５３が形成された腕部６５の面に、板ばね７Ａの該先端部分が当接される。
【００４７】
板ばね７Ａは、平面視略Ｕ字状に形成されている。このＵ字状の一方の先端部７Ａ１は、平面視略Ｃ字状に形成されており、この先端部７Ａ１が腕部６５の押さえ片６５３が形成された面に当接される。また、他方の先端部７Ａ２の先端部７Ａ１に対向する面とは反対側の面が、アッパーケース本体１４の下面から面外方向に鉤状に突設された突出部２０Ｇに当接される。さらに、Ｕ字状の円弧状部７Ａ３は、アッパーケース本体１４の下面から断面略Ｌ字状に突設された突出部２０Ｈに当接されている。
【００４８】
板ばね７Ａの図８中矢印Ａ２方向の付勢力は、腕部６５を介してレバー６Ａに伝達され、該レバー６Ａを矢印Ｂ１方向に回動させる。この回動に伴い、腕部６３に形成された当接部６３１は光ディスク４の端面に近接し、該当接部６３１の当接面６３２は光ディスク４の端面に当接されるので、該光ディスク４の回転を停止させることができる。
また、蓋部１３の閉状態では、該蓋部１３に形成された突起部１３Ｂが、開口２０Ｂを介して、腕部６５の面６４２に当接され、板ばね７Ａの矢印Ａ２方向の付勢力に抗して、レバー６Ａを矢印Ｂ２方向に回動させるので、レバー６Ａの当接面６３２を光ディスク４の端面から離間させて、光ディスク４の回転を妨げないようにすることができる。
【００４９】
このような第２実施形態に係るエンタテインメント装置１によれば、回転停止機構５Ａの付勢手段として板ばね７Ａを採用した場合でも、前述した第１実施形態で述べた(1-1)〜(1-5)の効果と略同じ効果を奏することができるほか、以下の効果を奏することができる。
すなわち、前述の第１実施形態で述べた回転停止機構５では、付勢手段としてのコイルばね７は、腕部６２に係合して、該コイルばね７の付勢力を腕部６２に作用させてレバー６を回動させる構成としたが、第２実施形態で述べた回転停止機構５Ａでは、付勢手段としての板ばね７Ａの付勢力は、蓋部１３の突起部１３Ｂが当接される腕部６５に作用してレバー６Ａを回動させる。これによれば、レバー６Ａに形成された腕部６５で、レバー６に形成された腕部６２，６４を兼ねるので、レバー６の構造を簡素化することができるほか、該レバー６を小型化することができる。
【００５０】
〔３．第３実施形態〕
次に、本発明の第３実施形態に係るエンタテインメント装置について説明する。第３実施形態のエンタテインメント装置は、前述の第１および第２実施形態のエンタテインメント装置と略同じ構成を備えるが、回転停止機構の付勢手段にねじりコイルばねが採用されている点で相違する。
以下、これらの相違点について詳述する。
【００５１】
図９には、第３実施形態に係るエンタテインメント装置１に設けられた回転停止機構５Ｂが示されている。
回転停止機構５Ｂは、図９に示すように、レバー６Ｂと、付勢手段としてのねじりコイルばね７Ｂと、蓋部１３に形成された突起部１３Ｂとを備えて構成されている。
レバー６Ｂは、前述のレバー６と同様に、突起部２０Ｄに回動自在に軸支され、蓋部１３の開状態で、光ディスク４の端面に近接する方向に回動して該端面に当接され、光ディスク４の回転を停止させる部材である。このレバー６Ｂは、環状部６１と、腕部６３，６４とを備えている。また、このレバー６Ｂは、レバー６と異なり、腕部６２の代わりに腕部６６を備えている。すなわち、詳しくは後に詳述するが、レバー６Ｂの一端側には、当接部６３１を有する腕部６３が形成され、この腕部６３から回動軸となる環状部６１を介した他端側には、付勢手段としてのねじりコイルばね７Ｂが係合する腕部６６が形成されている。また、これら腕部６３，６６に挟まれるように環状部６１を介したレバー６の他端には、腕部６４が形成されている。
【００５２】
腕部６６は、環状部６１の外周端部から放射状に延出して形成され、ねじりコイルばね７Ｂと係合して、該ねじりコイルばね７の付勢力が作用される部分である。この腕部６６は、腕部６２と同様に、環状部６１の中央を中心として腕部６３に対して鈍角、具体的には、１３５°の角度をなす位置で、かつ、腕部６４に対して鋭角、具体的には、６０°の角度をなす位置に形成されている。
この腕部６６の延出方向先端には、長孔６６１が形成されている。この長孔６６１は、ねじりコイルばね７Ｂの一端が係合する孔である。
【００５３】
ねじりコイルばね７Ｂは、平面視略Ｕ字状に形成され、中央にコイル状に巻かれたコイル部７Ｂ３と、両端に鉤状に曲折した曲折部７Ｂ１，７Ｂ２とが形成されている。このうち、コイル部７Ｂ３には、突起部１３Ｂが挿通されている。また、一方の曲折部７Ｂ１は、レバー６Ｂの腕部６６に形成された長孔６６１に係合し、他方の曲折部７Ｂ２は、アッパーケース本体１４の下面から面外方向に鉤状に突設された突出部２０Ｊに係合している。
【００５４】
このような回転停止機構５Ｂでは、蓋部１３の開状態で、ねじりコイルばね７Ｂの図９中矢印Ａ３方向の付勢力により、レバー６Ｂは、矢印Ｂ１方向に回動し、腕部６３に形成された当接部６３１の当接面６３２が、光ディスク４の端面に当接される。これにより、光ディスク４の回転を停止することができる。
また、蓋部１３の閉状態では、レバー６Ｂに形成された腕部６４の面６４２に、蓋部１３に形成された突起部１３Ｂが当接して、レバー６Ｂをねじりコイルばね７Ｂの付勢力に抗して矢印Ｂ２方向に回動させる。これにより、レバー６Ｂの当接面６３２は、光ディスク４の端面から離間するので、該光ディスク４の回転を妨げないようにすることができる。
【００５５】
このような第３実施形態に係るエンタテインメント装置１によれば、回転停止機構５Ｂの付勢手段としてねじりコイルばね７Ｂを採用した場合でも、前述した第１実施形態で述べた(1-1)〜(1-5)の効果と略同じ効果を奏することができるほか、以下の効果を奏することができる。
回転停止機構５Ｂは、付勢手段としてねじりコイルばね７Ｂを備え、このねじりコイルばね７Ｂは、アッパーケース本体１４の下面に突設された突起部２０Ｄに取り付けられている。これによれば、アッパーケース本体１４における回転停止機構５Ｂが占める面積を小さくすることができる。従って、エンタテインメント装置１の小型化を実現できるとともに、内部空間を有効に利用して、回転停止機構５Ｂを配置することができる。
【００５６】
〔４．第４実施形態〕
次に、本発明の第４実施形態に係るエンタテインメント装置について説明する。第４実施形態のエンタテインメント装置は、前述の第１〜第３実施形態のエンタテインメント装置と略同じ構成を備えるが、回転停止機構の付勢手段に磁性部材が採用されている点で相違する。
以下、これらの相違点について詳述する。
【００５７】
図１０には、第４実施形態に係るエンタテインメント装置１に設けられた回転停止機構５Ｃが示されている。
回転停止機構５Ｃは、図１０に示すように、突起部２０Ｄに回動自在に取り付けられたレバー６Ｃと、このレバー６Ｃが光ディスク４に近接する側で、かつ、該レバー６Ｃから離れた位置に配置された付勢手段としての磁性部材９１と、蓋部１３に形成された突起部１３Ｂとを備えて構成されている。
レバー６Ｃは、前述のレバー６と同様に、蓋部１３の開状態で、突起部２０Ｄを中心として光ディスク４の端面に近接する方向に回動して該端面に当接され、光ディスク４の回転を停止させる部材である。このレバー６Ｃは、環状部６１と、腕部６３，６４，６７とを備えている。すなわち、詳しくは後に詳述するが、レバー６Ｃの一端側には、当接部６３１を有する腕部６３が形成され、この腕部６３から回動軸となる環状部６１を介した他端側には、付勢手段としての磁性部材９１からの付勢力を受ける腕部６７が形成されている。また、これら腕部６３，６７に挟まれるように環状部６１を介したレバー６の他端には、腕部６４が形成されている。
【００５８】
腕部６７は、前述のレバー６における腕部６２に相当する位置に、環状部６１の外周端部から放射状に延出して形成されている。すなわち、環状部６１の中央を中心として、腕部６３に対して１３５°、腕部６４に対して６０°の位置に形成されている。
この腕部６２の延出方向先端には、逆向きの平面視略Ｃ字状の嵌合部６７１が形成され、この嵌合部６７１には、磁性部材９１に吸引される金属製部材９２が嵌合されている。
【００５９】
このような回転停止機構５Ｃでは、磁性部材９１が、レバー６Ｃの腕部６７に取り付けられた金属製部材９２を吸引するので、レバー６Ｃは、図１０中矢印Ａ４方向に付勢される。このため、蓋部１３の開状態では、レバー６Ｃは、磁性部材９１の付勢力により、矢印Ｂ１方向に回動し、これにより、該レバー６Ｃの腕部６３に形成された当接面６３２が光ディスク４端面に当接されるので、該光ディスク４の回転を停止させることができる。
また、蓋部１３の閉状態では、レバー６Ｃの腕部６４に形成された面６４２に、蓋部１３の突起部１３Ｂが当接して、該レバー６Ｃを矢印Ｂ２方向に回動させる。これにより、当接面６３２が光ディスク４端面から離間するので、該光ディスク４の回転がレバー６Ｃによって妨げられないようにすることができる。
【００６０】
このような第４実施形態に係るエンタテインメント装置１によれば、回転停止機構５Ｃの付勢手段として磁性部材９１を採用した場合でも、前述した第１実施形態で述べた(1-1)、(1-3)〜(1-5)の効果と略同じ効果を奏することができるほか、以下の効果を奏することができる。
回転停止機構５Ｃは、レバー６Ｃと、このレバー６Ｃに取り付けられる金属製部材９２と、レバー６Ｃが光ディスク４と近接する側で、レバー６Ｃから離れた位置に配置された磁性部材９１とを備えて構成されている。これによれば、蓋部１３の開状態で、光ディスク４の回転を停止させる回転停止機構５Ｃの構造を簡素化することができる。
【００６１】
また、磁性部材９１により、金属製部材９２が取り付けられた腕部６７が引かれて、レバー６Ｃが回動するので、磁性部材９１とレバー６Ｃとが近接するにしたがって、レバー６Ｃを矢印Ｂ１方向に回動させる付勢力が大きくなる。これによれば、レバー６Ｃに設けられた金属製部材９２と磁性部材９１とが最も接近した状態、すなわち、光ディスク４端面に該レバー６の当接面６３２が当接された状態において、レバー６Ｃに対する磁性部材９１の付勢力が最も強くなる。従って、レバー６Ｃの当接面６３２を光ディスク４端面に強く当接させることができ、該光ディスクの回転を停止させる制動効率を向上することができる。
【００６２】
逆に、磁性部材９１によりレバー６Ｃに作用する付勢力は、レバー６Ｃが磁性部材９１から離間するにしたがって小さくなる。これによれば、蓋部１３の閉状態で、レバー６Ｃが光ディスク４端面から離間するように矢印Ｂ２方向に回動した場合、該レバー６Ｃに対する付勢力は、最も小さくなる。ここで、エンタテインメント装置１では、蓋部１３は、光ディスク４が収納される場合、および光ディスク４が取り出される場合に開放されるので、蓋部１３は、閉状態である場合が多い。従って、頻度の高い蓋部１３の閉状態でのレバー６Ｃにかかる負荷を低減させることができ、該レバー６Ｃの損傷を防ぐことができる。
【００６３】
〔５．第５実施形態〕
次に、本発明の第５実施形態に係るエンタテインメント装置について説明する。第５実施形態のエンタテインメント装置は、前述の第２実施形態のエンタテインメント装置と略同じ構成を備えるが、蓋部の略全開時に、回転停止機構を構成するレバーを光ディスク端面から離間させるヒンジ部が設けられている点で相違する。
以下、これらの相違点について詳述する。
【００６４】
図１１には、第５実施形態に係るエンタテインメント装置１に設けられた回転停止機構５Ｄが示されている。詳述すると、図１１には、蓋部１３の略全開状態の回転停止機構５Ｄとヒンジ部１３Ｃとの係合状態が示されている。
回転停止機構５Ｄは、突起部２０Ｄに回動自在に軸支され、光ディスク４端面に当接されるレバー６Ｄと、このレバー６Ｄを光ディスク４に当接する方向に付勢する付勢手段としての板ばね７Ａと、蓋部１３に形成された突起部１３Ｂ（図１１では図示略、図１４参照）を備えて構成されている。また、このレバー６Ｄ近傍には、蓋部１３に形成され、該蓋部１３をアッパーケース本体１４に回動自在に取り付けるヒンジ部１３Ｃが配置されている。
【００６５】
レバー６Ｄは、前述のレバー６Ａと同様に、蓋部１３の開放動作に伴い、光ディスク４に近接する方向に回動し、該光ディスク４の端面に当接されて、光ディスク４の回転を停止させる部材である。このレバー６Ｄは、レバー６Ａと同様に、突起部２０Ｄが挿入される環状部６１と、腕部６３、６５とを備えている。また、このレバー６Ｄは、環状部６１の中央を中心として、腕部６３に対して１３５°の角度をなす位置で、かつ、腕部６５に対して６０°の角度をなす位置に、腕部６８が形成されている。すなわち、レバー６Ｄの一端側には、当接部６３１を有する腕部６３が形成され、この腕部６３から回動軸となる環状部６１を介した他端側には、付勢手段としての板ばね７Ａが係合する腕部６５が形成されている。また、これら腕部６３から環状部６１を介した反対側の他端には、腕部６８が形成されている。
【００６６】
腕部６８の先端部分の腕部６５に対向する側面には、断面略半円形状で、かつ、下方が半球形状に膨出した膨出部６８１が形成されている。この膨出部６８１は、蓋部１３の開状態で、該蓋部１３に設けられたヒンジ部１３Ｃに当接される部分である。
【００６７】
図１２には、蓋部１３に形成されたヒンジ部１３Ｃの斜視図が示されている。
ヒンジ部１３Ｃは、蓋部１３をアッパーケース本体１４に回動自在に取り付けるとともに、蓋部１３の略全開状態で、回転停止機構５Ｄを構成するレバー６Ｄを回動させて、光ディスク４端面から該レバー６Ｄを離間させる第２の解除手段である。このヒンジ部１３Ｃは、図１１および図１２に示すように、蓋部１３の光ディスク収納部２０に対向する面、すなわち、蓋部１３の下面から面外方向に突出し、その先端部分で曲折した側面視略Ｌ字状に形成されている。
【００６８】
ヒンジ部１３Ｃの光ディスク収納部２０中央側の面１３Ｃ１には、アッパーケース本体１４内に設けられた図示しない凹部と係合して、蓋部１３を回動自在に取り付ける略円筒形状の軸部１３Ｃ１１が面外方向に突設されている。
また、ヒンジ部１３Ｃの先端部１３ＣＡは、蓋部１３の回動に伴って軸部１３Ｃ１１を中心に回動する部分であり、この先端部１３ＣＡの上面、すなわち、蓋部１３の下面に対向する面１３Ｃ２は、面１３Ｃ１から反対側の面に向かうにしたがって、先端部１３ＣＡの高さ方向（図１２中Ｙ軸方向）の寸法が大きくなるように傾斜して形成されている。この面１３Ｃ２には、蓋部１３の開状態で、レバー６Ｄに形成された膨出部６８１が当接される。
【００６９】
以下に、回転停止機構５Ｄと、ヒンジ部１３Ｃとの係合状態を説明する。
図１３には、蓋部１３の閉状態でのレバー６Ｄとヒンジ部１３Ｃとの係合状態が示されており、図１４には、この状態での該蓋部１３およびレバー６Ｄの側面図が示されている。また、図１５には、蓋部１３の半開状態でのレバー６Ｄとヒンジ部１３Ｃとの係合状態が示されており、図１６には、この状態での該蓋部１３およびレバー６Ｄの側面図が示されている。
蓋部１３の閉状態では、図１３および図１４に示すように、蓋部１３に形成された突起部１３Ｂが、レバー６Ｄの腕部６５に形成された面６４２に当接される。この際、ヒンジ部１３Ｃは、筐体１０におけるレバー６Ｄの下方に位置しているので、レバー６Ｄの腕部６８に形成された膨出部６８１は、ヒンジ部１３Ｃの面１３Ｃ２に当接されない。この状態では、蓋部１３の突起部１３Ｂが、面６４２の傾斜に沿って、レバー６Ｄを図１３中矢印Ｂ２方向に回動させる。ここで、この回動は、付勢手段としての板ばね７Ａによる図１３中矢印Ａ２方向で示す付勢力に抗して行われる。これによれば、蓋部１３の閉状態では、光ディスク４の端面からレバー６Ｄが離間するので、光ディスク４の回転をレバー６Ｄが妨げないようにすることができる。
【００７０】
蓋部１３をわずかに開放した状態、すなわち、蓋部１３の半開状態では、図１５および図１６に示すように、蓋部１３の突起部１３Ｂと、レバー６Ｄの腕部６５に形成された面６４２との係合が解除され、レバー６Ｄは、板ばね７Ａの図１５中矢印Ａ２方向の付勢力により、矢印Ｂ１方向に回動する。これにより、レバー６Ｄの腕部６３に形成された当接面６３２が、光ディスク４の端面に当接され、該光ディスク４の回転を停止させる。
この際、図１６に示すように、蓋部１３の開放動作にともなって、該蓋部１３と一体的に形成されたヒンジ部１３Ｃが軸部１３Ｃ１１を中心に回動することにより、ヒンジ部１３Ｃとレバー６Ｄの腕部６８に形成された膨出部６８１とが近接し、ヒンジ部１３Ｃの先端部１３ＣＡに形成された面１３Ｃ２が膨出部６８１に当接される。
【００７１】
蓋部１３を半開状態からさらに開放した場合、すなわち、蓋部１３を図１６中矢印Ｓ２方向に回動させた場合では、ヒンジ部１３Ｃの先端部１３ＣＡは、同様に、軸部１３Ｃ１１を中心として矢印Ｓ２方向に回動する。この際、レバー６Ｄに形成された膨出部６８１は、図１１に示すように、ヒンジ部１３Ｃに形成された面１３Ｃ２の傾斜に沿って、面１３Ｃ１側、すなわち、図１１中矢印Ｂ２方向に移動する。従って、蓋部１３の略全開状態では、膨出部６８１がヒンジ部１３Ｃの面１３Ｃ２の傾斜に沿って、面１３Ｃ２の端部から略垂下する面１３Ｃ１側に移動することにより、レバー６Ｄは、板ばね７Ａの矢印Ａ２方向の付勢力に抗して、矢印Ｂ２方向に回動する。この回動に伴い、レバー６Ｄの当接面６３２は、光ディスク４の端面から離間することとなる。
【００７２】
このような第５実施形態に係るエンタテインメント装置１によれば、前述した第２実施形態で述べた効果と略同じ効果を奏することができるほか、以下の効果を奏することができる。
すなわち、蓋部１３の半開状態では、付勢手段としての板ばねの付勢力により、レバー６Ｄの当接面６３２を光ディスク４の端面に当接させることができるので、蓋部１３の閉状態から開状態に移行する間に、光ディスク４の回転を停止させることができる。また、この蓋部１３の半開状態では、レバー６Ｄに形成された膨出部６８１と、蓋部１３に形成されたヒンジ部１３Ｃの面１３Ｃ２とが当接される。ここで、蓋部１３を半開状態から略全開状態に移行させた場合では、レバー６Ｄの膨出部６８１は、当接されているヒンジ部１３Ｃの面１３Ｃ２が傾斜して形成されているので、その移行過程において、矢印Ｂ２方向に移動することとなる。この膨出部６８１の移動に伴い、レバー６Ｄは、矢印Ｂ２方向に回動するので、光ディスク４端面からレバー６Ｄの当接面６３２を離間させることができる。従って、蓋部１３の略全開状態では、レバー６Ｄと光ディスク４との係合が解除されるので、略全開状態での光ディスク収納部２０からの光ディスク４の取り出しを容易にすることができる。
【００７３】
また、蓋部１３は、開閉ボタン１６の押下によって、該蓋部１３と係止部材との係合が解除され、コイルばね１７の付勢力により開放される。この際、蓋部１７の開放に用いられるコイルバネ１７の付勢力は、板ばね７Ａの付勢力に抗してレバー６Ｄを矢印Ｂ２方向に回動させる回動力としても消費されることとなる。これによれば、蓋部１７が全開状態に近づくにつれて、コイルばね１７の付勢力がレバー６Ｄの回動力として消費されるので、蓋部１３を緩やかに開放することができる。
【００７４】
〔６．実施形態の変形〕
なお、本発明は前述の実施形態に限定されるものではなく、本発明の目的を達成できる範囲での変形、改良等は本発明に含まれるものである。
前記各実施形態では、レバー６，６Ａ，６Ｂ，６Ｃ，６Ｄは複数本の腕部を備え、それぞれの腕部が、付勢手段と係合し、蓋部１３の突起部１３Ｂと当接し、あるいは、光ディスク４の端面に当接されるとしたが、本発明はこれに限らず、環状部６１から延出する１つの腕部が、付勢手段と係合し、突起部１３Ｂと当接し、かつ、光ディスク端面に当接するように形成してもよい。また、レバーは、環状部６１から延出する腕部を備える構成ではなく、板状形状に形成してもよい。すなわち、本発明のレバーは、前述のレバー６，６Ａ，６Ｂ，６Ｃ，６Ｄに限定されるものではない。
【００７５】
前記各実施形態では、突起部１３Ｂが当接されるレバー６，６Ａ，６Ｂ，６Ｃ，６Ｄの面６４２は、傾斜して形成されるとしたが、突起部１３Ｂの先端側を傾斜して形成するようにしてもよい。
【００７６】
前記各実施形態では、光ディスク４の回転方向は、図５において示した矢印Ｃ方向であるとし、光ディスク４に当接される際の各レバー６，６Ａ，６Ｂ、６Ｃ，６Ｄの回動方向は、光ディスク４の回転方向と同じであるとしたが、本発明はこれに限らず、光ディスク４の回転方向と、レバーの該光ディスク４に当接する際の回動方向とが逆向きであってもよい。この場合、レバーが光ディスクに当接された場合では、該レバーは光ディスクに対して巻き込むように当接されるので、光ディスクの回転を迅速に停止させることができる。なお、このようにレバーの回動方向を光ディスクの回転方向とは逆向きにする場合は、前述のレバーの表裏を反転させて、このレバーを光ディスクへの当接方向に付勢するように、コイルばね等の付勢手段を取り付けるように構成すればよい。
【００７７】
前記各実施形態では、回転停止機構５，５Ａ，５Ｂ，５Ｃ、５Ｄを、図２における光ディスク収納部２０の右奥側に設けたが、本発明は、この設置位置に限定されるものではなく、例えば、光ディスク収納部２０の左奥側に設けるとしてもよい。この場合、前述の光ディスク４の回転方向とレバーの回動方向を逆向きにするのと同様に、レバーを表裏反転させて、このレバーが光ディスクの当接方向に付勢されるように、コイルばね等の付勢手段を取り付けるように構成してもよい。
【００７８】
前記第１〜第３および第５実施形態では、回転停止機構５，５Ａ，５Ｂの付勢手段として、コイルばね７，板ばね７Ａ，ねじりコイルばね７Ｂを採用したが、本発明はこれに限らず、他の種類のばねを用いてもよい。例えば、レバー６，６Ａ，６Ｂ，６Ｃ，６Ｄが軸支される突起部２０Ｄをねじり棒ばねとして構成してもよい。この場合、回転停止機構の一層の省スペース化を図ることができる。
また、第５実施形態の回転停止機構５Ｄでは、付勢手段として板ばね７Ａを採用したが、他のばねを採用してもよく、また、磁性部材９１を採用してもよい。
【００７９】
前記第４実施形態では、回転停止機構５Ｃの付勢手段として磁性部材９１を採用して、該磁性部材９１をレバー６Ｃから離れた位置に配置し、磁性部材９１に吸引される金属製部材９２をレバー６Ｃに設けるとしたが、磁性部材９１をレバー６Ｃに設ける構成でもよい。また、磁性部材９１によって金属製部材９２が吸引される構成とせず、互いに反発する磁性部材をそれぞれアッパーケース本体１４およびレバーに設ける構成としてもよい。
【００８０】
前記第５実施形態では、蓋部１３をアッパーケース本体１４に回動自在に取り付けるヒンジ部１３Ｃが、該蓋部１３の開放動作に伴い、レバー６Ｄを光ディスク４から離間させるように構成したが、必ずしもヒンジ部として構成する必要はない。すなわち、蓋部１３の下面から突出する突起部として構成してもよい。
【００８１】
前記各実施形態では、エンタテインメント装置１は、光ディスク４から情報の読み取りが可能なだけでなく、使用する光ディスク４によっては、情報の記録も行えるとしたが、情報の読取および記録の少なくともいずれかが実行可能であればよい。
【００８２】
前記各実施形態では、使用するディスクとして光ディスク４を採用したが、磁気ディスクを採用してもよい。すなわち、記録された情報の読取および／または情報の記録が可能であり、読取／記録時に駆動手段によって回転するディスクであれば、ディスクの種類は問わない。
【産業上の利用可能性】
【００８３】
本発明は、ＣＤ、ＤＶＤ等の光ディスク、光磁気ディスク、磁気ディスク等のディスクに記録された情報を再生および／または該ディスクに情報を記録するディスク装置で、かつ、該ディスクが装着される収納部が形成された筐体本体と、収納部のディスク収納用開口を閉塞する蓋部とを有する筐体を備えたディスク装置に利用することができる。
【図面の簡単な説明】
【００８４】
【図１】本発明の第１実施形態に係るエンタテインメント装置を示す概要斜視図。
【図２】前記実施形態における図１の状態から蓋部を開放したエンタテインメント装置を示す概要斜視図。
【図３】前記実施形態における蓋部の開状態での回転停止機構を示す図。
【図４】前記実施形態におけるレバーを示す平面図。
【図５】前記実施形態における蓋部の開状態でのレバーの回動状態を示す図。
【図６】前記実施形態における蓋部の開状態での蓋部およびレバーを示す側面図。
【図７】前記実施形態における蓋部の閉状態でのレバーの回動状態を示す図。
【図８】本発明の第２実施形態に係る蓋部の閉状態での回転停止機構を示す図。
【図９】本発明の第３実施形態に係る蓋部の閉状態での回転停止機構を示す図。
【図１０】本発明の第４実施形態に係る蓋部の閉状態での回転停止機構を示す図。
【図１１】本発明の第５実施形態に係る蓋部の全開状態での回転停止機構を示す図。
【図１２】前記実施形態におけるヒンジ部を示す図。
【図１３】前記実施形態における蓋部の閉状態でのレバーとヒンジ部との係合状態を示す図。
【図１４】前記実施形態における蓋部の閉状態での蓋部およびレバーを示す側面図。
【図１５】前記実施形態における蓋部の半開状態でのレバーとヒンジ部との係合状態を示す図。
【図１６】前記実施形態における蓋部の半開状態での蓋部およびレバーを示す側面図。
【符号の説明】
【００８５】
１…エンタテインメント装置（ディスク装置）、４…光ディスク（ディスク）、５，５Ａ，５Ｂ，５Ｃ，５Ｄ…回転停止機構、６，６Ａ，６Ｂ，６Ｃ，６Ｄ…レバー、７…コイルばね（付勢手段）、７Ａ…板ばね（付勢手段）、７Ｂ…ねじりコイルばね（付勢手段）、１０…エンタテインメント装置用筐体（筐体）、１３…蓋部、１３Ｂ…突起部（第１の解除手段）、１３Ｃ…ヒンジ部（第２の解除手段）、１４…筐体本体（アッパーケース本体）、２０…ディスク収納部（収納部）、９１…磁性部材（付勢手段）、６３１…当接部、６４２…面（傾斜面）。
【図１】
2005322347.tif 000003
【図２】
2005322347.tif 000004
【図３】
2005322347.tif 000005
【図４】
2005322347.tif 000006
【図５】
2005322347.tif 000007
【図６】
2005322347.tif 000008
【図７】
2005322347.tif 000009
【図８】
2005322347.tif 000010
【図９】
2005322347.tif 000011
【図１０】
2005322347.tif 000012
【図１１】
2005322347.tif 000013
【図１２】
2005322347.tif 000014
【図１３】
2005322347.tif 000015
【図１４】
2005322347.tif 000016
【図１５】
2005322347.tif 000017
【図１６】
2005322347.tif 000018